(57)【要約】  コロケートされたＧＳＭ及びＷＬＡＮサブシステムの通信品質を向上させる方法である。ＧＳＭデバイスは、どのＧＳＭチャネルが現在使用中のであるかに依存する周波数を有する第３高調波をスプリアスに発生し得る。ＷＬＡＮ受信機はＧＳＭチャネルの個々のチャネルの第３高調波で妨害され得るＯＦＤＭサブキャリアを用いる。どのＯＦＤＭサブキャリアが使用中のＧＳＭチャネルの特定の一つにより悪影響を受けるかを計算する。次に対応する特定のＯＦＤＭサブキャリアをＦＦＴプロセス後であってビタビデコーディング後に除去する。
2009519665.tif 000002
【特許請求の範囲】
【請求項１】
複数のＧＳＭチャネルのどのチャネルが使用中であるかに依存する周波数を有する高調波を発生し得るサブシステムと、
前記複数のＧＳＭチャネルの個々のチャネルの第３高調波で妨害され得るＯＦＤＭサブキャリアを用いるＷＬＡＮサブシステムと、
どのＯＦＤＭサブキャリアが前記複数のＧＳＭチャネルのうちの使用中の特定の一つにより悪影響を受けるかの計算を行う計算機と、
前記ＷＬＡＮサブシステム内のＦＦＴ及びサブキャリア復調マッピング段との間で、前記計算機により除去すべきであると識別された特定のＯＦＤＭサブキャリアの除去を行うサブキャリアパンクチャデバイスとを具え、
その後段の順方向誤り訂正サブシステムが原送信データを適正に再生できることを特徴とする通信システム。
【請求項２】
前記複数のＧＳＭチャネルのうちの使用中の特定の一つの識別情報を与えるために前記ＧＳＭサブシステムと前記計算機との間にリンクを更に具えることを特徴とする請求項１記載の通信システム。
【請求項３】
前記複数のＧＳＭチャネルのうちの使用中かもしれない特定の一つの推定を行うために前記ＦＦＴと前記計算機との間に接続を更に具えることを特徴とする請求項１記載の通信システム。
【請求項４】
前記ＧＳＭサブシステムと前記ＷＬＡＮサブシステムはコロケートされていることを特徴とする請求項1記載の通信システム。
【請求項５】
ＧＳＭサブシステムとＷＬＡＮサブシステムがコロケートされ、前記ＧＳＭサブシステムは、複数のＧＳＭチャネルのうちのどのＧＳＭチャネルが使用中であるかに依存する周波数を有する第３高調波を発生することができ、前記ＷＬＡＮサブシステムは前記複数のＧＳＭチャネルの個々のチャネルの第３高調波で妨害され得るＯＦＤＭサブキャリアを用いる通信システムにおいて前記ＧＳＭ及びＷＬＡＮのデータ通信品質を改善する方法であって、
どのＯＦＤＭサブキャリアが前記複数のＧＳＭチャネルの使用中の特定の一つにより悪影響を受けるかを計算するステップと、
前記ＷＬＡＮサブシステム内のＦＦＴとサブキャリア復調マッピング段との間の位置で、前記計算により除去すべきであると識別された特定のＯＦＤＭサブキャリアを除去するステップとを具えることを特徴とする方法。
【請求項６】
５ＧＨｚＯＦＤＭ  ＷＬＡＮ受信機における近接ＧＳＭ送信機の第３高調波妨害を低減する方法であって、
コロケートされたＧＳＭデバイスのＧＳＭ無線送信により発生されるスプールの周波数位置を計算するステップと、
前記計算の結果を用いてＦＦＴブロックの出力の対応するサブキャリア又は周波数ビンを除去するステップとを具えることを特徴とする方法。
【請求項７】
コロケートされた妨害ＧＳＭ送信機から直接供給されるチャネル情報を前記計算ステップのパラメータとして用いるステップ、又は
ＦＦＴブロックからのシンボル情報から近接ＧＳＭ送信機が使用中である可能性の高いＧＳＭチャネルを予測し、その結果を前記計算ステップに送るステップ、
を更に具えることを特徴とする請求項６記載の方法。  
【請求項８】
５ＧＨｚＯＦＤＭ  ＷＬＡＮ受信機における近接ＧＳＭ送信機の第３高調波妨害を低減する装置であって、該装置は、コロケートされたＧＳＭデバイスのＧＳＭ無線送信により発生されるスプールの周波数位置を計算し、前記計算の結果を用いてＦＦＴブロックの出力の対応するサブキャリア又は周波数ビンを除去するために、コロケートされた妨害ＧＳＭ送信機から直接供給されるチャネル情報を前記計算のためのパラメータとして用いる、或いは、ＦＦＴブロックからのシンボル情報から近接ＧＳＭ送信機により使用中の可能性の高いＧＳＭチャネルを予測し、その結果を前記計算のために送るものであり、
どのＯＦＤＭサブキャリアが前記複数のＧＳＭチャネルの使用中の特定の一つにより悪影響を受けるかの計算を行う計算機と、
前記ＷＬＡＮサブシステム内のＦＦＴ及びサブキャリア復調マッピング段との間で、前記計算機により除去すべきであると識別された特定のＯＦＤＭサブキャリアの除去を行うサブキャリアパンクチャデバイスと、
を具えることを特徴とする装置。
【発明の詳細な説明】
【技術分野】
【０００１】
本発明は、ＩＥＥＥ８０２．１１aモードを用いるデュアルモードＧＳＭ／ＷＬＡＮに関し、特に５ＧＨｚ帯域での共干渉（co-interference）を低減する安価な方法及び装置に関する。
【背景技術】
【０００２】
構成要素を生産してきた標準化団体により意図されなかったマルチモード携帯電子デバイスが現れ始めている。これらの組み合わせは極めて有用であるが、それらが使用する無線モードが相互干渉を生じ得る。例えば、携帯電話に全地球測位システム（ＧＰＳ）を組み込むことにより、９１１緊急呼び出しにユーザ位置を含めることができ、ＧＰＳクロックが非常に正確に時刻及び周波数標準を与えることができる。ボイスオーバインターネット（ＶｏＩＰ）は無線ローカルエリアネットワーク（ＷＬＡＮ）と組み合わせて電話サービスを提供でき、グローバルシステム・フォー・モバイルコミュニケーション（ＧＳＭ）はノートブックコンピュータのための広域無線インターネットアクセスをサポートできる。
【０００３】
マルチモードＧＳＭ携帯電話は、今ではお金の節約及び接続品質の改善のためにＶｏＩＰ及びＷＬＡＮ接続を介する電話接続をダイナミックにサポートすることが可能である。ＩＥＥＥ８０２．１１b/g型のＷＬＡＮは２．４ＧＨｚの免許不要帯域を使用するが、ＩＥＥＥ８０２．１１a型WLANはそれらのための５ＧＨz帯域内で２３の直交周波数分割多重（ＯＦＤＭ）チャネルを使用する。ブルートゥース（登録商標）通信は２．４ＧＨｚ帯域を用いる８０２．１１b/gＷＬＡＮを妨害することができ、いくつかのＧＳＭチャネルの第３高調波は５ＧＨｚＩＥＥＥ８０２．１１aＷＬＡＮチャネル内の個々のＯＦＤＭサブキャリア周波数を妨害することができる。
【０００４】
コロケートされた無線間の分離及びシールディングは共干渉を低減する有効な方法である。しかし、アンテナの向き及びレイアウトにより与えられる小さな形状因子及び有限分離効果がこのような分離及びシールディングの実用性を制限する。送信機出力のより良いフィルタリングが大いに役立つが、デバイスのサイズ及びコストも増大する。余分のフィルタリングは残念ながら送信効率及び線形性を低減し得る。混変調成分は送信機の直線性を増大させることにより低減できるが、効率が犠牲になる。しかし、電池式携帯デバイスは電力の使用効率をきわめて良くする必要がある。
【０００５】
ＧＳＭ携帯電話とＩＥＥＥ８０２．１１aＷＬＡＮのみを組み込む簡単なデバイスには、少なくとも２種類の妨害が可能である。ＷＬＡＮ送信機はＧＳＭ受信機を妨害でき、ＧＳＭ送信機はＷＬＡＮ受信機を妨害できる。特に、ＧＳＭ送信の第３高調波又はスプール（spur）はＵＮII帯域内に入り、ＷＬＡＮにより受信されるＯＦＤＭサブキャリアの各々に悪影響を与え得る。ＷＬＡＮ送信機が動作しているとき、その出力信号がＧＳＭ送信機に群がり、広帯域のノイズフロアを上昇させてＧＳＭ受信機のディセンシタイゼーション（感度低下）を生じる。
【０００６】
妨害を処理するために、いくつかのマルチモードデバイスは、ＧＳＭ及びＷＬＡＮ無線双方に対する出力パワーレベルを低減することを試みている。しかし、これらの手段はコストとサイズを増大し、通信距離を減少する。フロントエンドフィルタリングの増強は選択性を向上するがコストがかかり、ＷＬＡＮアンテナ及びＧＳＭアンテナ間の物理的分離の増大は結合を低減しデバイスを大きくする。
【０００７】
いくつかの慣例のマルチモードＧＳＭ／ＷＬＡＮシステムは、非同時動作を用いている。ＧＳＭ無線がアクティブであるときはいつでもＷＬＡＮ送信機をターンオフして、ＧＳＭへの悪影響を阻止する。ＧＳＭ送信がＷＬＡＮ送信の受信を妨害するときはいつでも、ＷＬＡＮサブシステムはパケットを自動的に再送信するためにＷＬＡＮアクセスポイントに頼らなければならない。その結果、マルチモードソリューションにおいてある種のトラヒック管理又はスケジューリングが必要とされる。このスケジューリングは、多くの場合、アプリケーションソフトウェア又はトップレベルベースバンドプロトコルスタック内で実施される。その結果は機能的なマルチモードソリューションであるが、常に１つのモードのみがアクティブになる。あるチップメーカが必要なスケジューリングを実施するマルチモード知的財産（ＩＰ）を開発している。ＧＳＭの送受信はコロケートされたＷＬＡＮの送受信と同期される。マルチモードソリューションのために単一の無線チェーンを使用できる。これは簡単なアーキテクチャを可能にし、マルチモードハンドセットの全時間平均電力消費を低減する。
【０００８】
ＧＳＭ受信機のディセンシタイジングを避けるために、上記のＩＰはＷＬＡＮ送信をＧＳＭが無線チャネルを必要としない期間にスケジュールする。このスケジューリングアルゴリズムはそれらのアクセスポイント送信をＧＳＭ無線アクティビティに同期させる。このような技術はＷＬＡＮ及びＧＳＭサブシステム間の妨害を殆ど除去する。
【０００９】
マルチモードの実施において、成功ＷＬＡＮトランザクションの確率はＷＬＡＮパケットの長さに比例する。ＷＬＡＮパケットが長くなればなるほど、競合するＧＳＭバーストとオーバラップする確率が高くなる。ＷＬＡＮパケットは捨てられ、後で再送信することを要求される。ＷＬＡＮ受信機はＧＳＭの空き時間中もバースト受信中も動作できるので、ＷＬＡＮダウンリンクの方がロバストである傾向がある。
【００１０】
２００４年２月に、連邦通信委員会（ＦＣＣ）はアンライセンスド・ナショナル・インフォメーション・インフラストラクチャ（ＵＮII）帯域及び５ＧＨｚチャネル利用の規則改定を発行した。この改定は１１のチャネルを追加し、全部で２３チャネルとするものである。しかし、１１の新チャネルを使用するためには、無線は２つの新しい特徴を組み込まなければならない。これらはＩＥＥＥ８０２．１１h標準の一部であり、例えば送信機電力制御（ＴＰＣ）及びダイナミック周波数選択（ＤＦＳ）である。
【００１１】
ＩＥＥＥ８０２．１１aは良好に機能する。それは、ＩＥＥＥ８０２．１１aは５ＧＨｚスペクトル内で動作するため、ＩＥＥＥ８０２．１１b/gＷＬＡＮで使用される過密な２．４ＧＨｚ帯域において生じる妨害やレイテンシやパケットドロップの問題を受けくいためである。
【００１２】
５ＧＨｚ帯域はＵＮII-1，ＵＮII-2及びＵＮII-3帯域を含み、各帯域は４つのチャネルを有する。これらのチャネルは２０ＭＨｚ間隔で、２０ＭＨｚのＲＦスペクトル帯域幅を有し、オーバラップしない。各帯域ごとに、送信電力、アンテナ利得、アンテナスタイル及び使用方法に関して異なる限定がある。ＵＮII-1帯域は、インドア使用に指定され、最初から永久取り付けアンテナを必要とする。ＵＮII-2帯域は、インドア／アウトドア使用に指定され、外部アンテナが許可される。ＵＮII-3帯域は、インドア／アウトドアＷＬＡＮに使用できるアウトドアブリッジプロダクト用であり、同様に外部アンテナが許可される。
【００１３】
５ＧＨｚの一部分はレーダシステムにより使用することもできる。ＤＦＳは、チャネルをリッスンしてレーダ信号のないチャネルに切り替えることを送信機にダイナミックに命令する。送信前に、ＤＦＳはレーダ信号がチャネル上にあるかリッスンする。レーダ信号が検出された場合、そのチャネルは空にし、使用不可としてフラグを立てる。トランシーバは、動作前も動作中も、レーダの存在について環境を連続的に監視する。これにより、ＷＬＡＮが現存するレーダユーザをそれらがコロケートされている場合に妨害することが避けられる。このような構成によれば、デバイス自体がそれらのチャネル再使用パターンを自動的に最適化できるため、企業設備を簡単化できる。
【００１４】
ＴＰＣ技術は、クライアント及びアクセスポイントがそれらの相互信号レベルに関する情報を交換できるようにする。各デバイスは通信を所定のデータレートで維持するのに十分なエネルギーのみを使用するようにその送信機をダイナミックに調整する。これにより隣接セル干渉が最小になり、もっと密に配置された高性能ＷＬＡＮが可能になる。第２の利点として、クライアントデバイスは無線で使用される電力が少ないためにより長い電池寿命をエンジョイできる。
【発明の開示】
【００１５】
簡単に説明すると、本発明の通信システムの実施例は、どのＧＳＭチャネルが使用中であるかに依存する周波数を有する第３高調波を発生し得るＧＳＭサブシステムを具える。コロケートされるＷＬＡＮサブシステムはＧＳＭチャネルの個々のチャネルの第３高調波で妨害され得るＯＦＤＭサブキャリアを使用する。計算機が、どのＯＦＤＭサブキャリアが使用中のＧＳＭチャネルの特定の一つにより悪影響を受けるかの計算を行う。サブキャリアパンクチャデバイスが、ＷＬＡＮサブシステム内においてＦＦＴとサブキャリア復調マッピング段との間でＯＦＤＭサブキャリアの除去を行う。除去すべき特定のＯＦＤＭサブキャリアは計算機によって識別される。
【００１６】
本発明の利点は、機能的で信頼できるデュアルモードハンドセットが得られる点にある。
【００１７】
本発明の他の利点は、安価に実現できるデュアルモードハンドセットが得られる点にある。
【００１８】
本発明の更に他の利点は、コロケートされたＧＳＭ及び５ＧＨｚ−ＷＬＡＮデバイスに使用できる方法が得られる点にある。
【００１９】
本発明の上述の及び他の目的、特徴及び利点は、以下に記載する特定の実施例の説明を特に添付図面とともに参酌すると明らかになる。
【発明を実施するための最良の形態】
【００２０】
図１は本発明のデュアルモードハンドセットシステムの一実施例を示し、全体を１００で表している。デュアルモードハンドセット１００は、電話部１０２と、ＧＳＭサブシステム１０４と、ＧＳＭチャネル情報リンク１０６と、ＷＬＡＮ受信機（ＲＸ）１０８と、ＷＬＡＮ送信機（ＴＸ）１１０とを具える。ＧＳＭサブシステム１０４は、通常の如く８５０，９００,１８００及び／又は１９００ＭＨｚ無線帯域のＧＳＭリンク１１２で携帯電話通信する。５ＧＨｚスペクトル内のスプール又は第３高調波がＷＬＡＮ受信機ＲＸ１０８にスプリアスに戻り結合し、ＷＬＡＮ受信を妨害し得る。ＧＳＭチャネル情報リンク１０６はＷＬＡＮ受信機ＲＸ１０８がこのような妨害を処理可能にするデータを提供する。
【００２１】
セルラ無線アクセスネットワーク（ＲＡＮ）１１６はＧＳＭ通話をサポートする。レンジ内にあるとき、ＩＥＥＥ８０２．１１a通信１１８がアンライセンスドモバイルアクセスネットワーク（ＵＭＡＮ）１２０から受信される。ＵＮII通信１１８は２つの帯域、例えば連邦通信委員会（ＦＣＣ）規則による５．１３−５．３５ＧＨｚ及び５．４７０−５．８２５ＧＨｚで動作する。コアモバイルネットワーク１２２は、ユーザの相対位置及びサービスサブスクリプションに依存して、デュアルモードハンドセット１００による電話通信をＲＡＮ１１６又はＵＭＡＮ１２０を経てサポートすることができる。
【００２２】
デュアルモードサブセット１００を実現するために使用できる種々のプロダクトが市販されている。フィリップスエレクトロニクス社は、携帯電話ハンドセットメーカがアンライセンスドモバイルアクセス（ＵＭＡ）使用可能電話を顧客に提供できるように、アンライセンスドモバイルアクセス（ＵＭＡ）半導体基準設計を携帯電話ハンドセットメーカのために市販している。ＵＭＡ基準設計は、伝統的なセルラネットワークを介してＶｏＩＰ／ＷＬＡＮアクセスポイントへ自動的に切り換えられるＧＳＭ及びＧＰＲＳモバイルサービスの携帯電話アクセスを与える。これにより、それらの電話は中断なく最も高速で最もコスト効率のよいネットワークを検出するので、高度な電話サービスに対する追加のフレキシビリティを携帯電話顧客に与えることができる。電話がＷＬＡＮレンジから出ると、電話はセルラネットワークにシームレスに切り換わる。
【００２３】
ＵＭＡ技術は、例えばブルートゥース（登録商標）及び８０２．１１を含む免許不要スペクトル技術によるＧＳＭ及びＣＰＲＳモバイルサービスへのアクセスを提供する。ＵＭＡ技術は、加入者がデュアルモードハンドセットを使ってセルラネットワークと免許不要な公衆及びプライベート無線ネットワークとの間でローミング及びハンドオーバすることを可能にする。フィリップス社のネクスペリア(登録商標)セルラシステムソリューション６１２０は多種多様のマルチメディアアプリケーションをサポートし、ＧＳＭ／ＧＰＲＳ／ＥＤＧＥモバイルプラットフォーム、ＲＦベースバンドトランシーバ、電力増幅器、パワーマネジメントユニット及び充電器を含む。ネクスペリア６１２０システムソリューション内のキネトＵＭＡクライアントソフトウェアは、携帯電話がモバイルネットワークとＷＬＡＮとの間をシームレスにローミングすることを可能にする。フィリップスの８０２．１１gＷＬＡＮ・ＳｉＰは、携帯電話の電池を危険にさらすことなく、ＷＬＡＮネットワークを経て音声、データ及びマルチメディアサービスへ現行の８０２．１１b製品より高速に５回までアクセスすることを携帯電話ユーザに可能にする。
【００２４】
ＵＭＡ仕様が、アルカテル、ＡＴ＆Ｔワイヤレス、ブリティッシュテレコム、シンギュラー、エリクソン、キネトワイヤレス、モトローラ、ノキア、ノーテル、Ｏ２、リサーチインモーション、ロジャーワイヤレス、ジーメンス、ソニー−エリクソン、及びＴモバイルＵＳにより作成されている。この仕様はwww.umatechnology.orgでダウンロードすることにより入手できる。第３世代パートナシッププロトコル（３ＧＰＰ）標準本体内のＴＳ43.318として知られているＵＭＡ技術仕様は３ＧＰＰＲリリース６に組み込むことが承認されている。
【００２５】
多くの従来のデバイスの動作を改善するために本発明の実施例を後付することができる。例えば、カリプソワイヤレス社は、インテルＰＸＡチップセットで動作するデュアルモードＷｉ−Ｆｉ／ＧＭＳ−ＧＰＲＳ  ｖｏＩＰ携帯電話Ｃ１２５０ｉを市販している。カリプソワイヤレスＡＳＮＡＰ技術は米国特許第６，６８０，９２３号明細書に記載されており、参考のためにここに記載する。ＡＳＮＡＰは、モバイルユーザがセルラネットワーク、例えばＧＳＭ又はＣＤＭＡ（符号分割多元接続）、と８０２．１１型Ｗｉ−Ｆｉワイヤレスローカルエリアネットワーク（ＷＬＡＮ）との間をシームレスに切り換えることができるようにする。カリプソＣ１２５０ｉデュアルバンドＷｉＦｉ−ＧＳＭ−ＧＰＲＳ  ＶｏＩＰセルラ電話は、１１，０００Ｋbps（１１Ｍbps）までのブロードバンド速度でＷｉ−Ｆｉゾーン及びインターネットにアクセスでき、ブロードバンド接続性を可能にする。
【００２６】
再び図1につき説明する。一つのシナリオでは、ＵＭＡ使用可能デュアルモードハンドセット１００を有するモバイル加入者が、そのハンドセットを免許不要無線ネットワーク１２０に接続できるレンジ内を移動する。接続時に、ハンドセット１００はＵＭＡＮ１２０を介してＵＭＡネットワークコントローラ（ＵＮＣ）にログインする。ハンドセットは認証され、免許不要無線ネットワーク１２０を介してＧＳＭ音声及びＧＰＲＳデータサービスにアクセスすることが許可され得る。許可された場合に、コアネットワークに格納されている加入者の現在位置情報が更新される。その後すべてのモバイル音声及びデータトラヒックがセルラＲＡＮ１１６ではなくＵＭＡＮ１２０を介してハンドセットへ転送される。ＵＭＡ使用可能加入者ハンドセット１００が特定のＵＭＡＮ１２０のレンジ外へ移動すると、ＵＮＣとハンドセットが免許された屋外ネットワーク、例えばセルラＲＡＮ１１６へ戻るローミングを行う。このようなローミングプロセスは加入者に対してシームレスにするのが好ましい。加入者が免許不要無線ネットワークのレンジ内を横断する際にアクティブＧＳＭボイスコール又はＧＰＲＳデータセッションにある場合、ボイスコール又はデータセッションはアクセスネットワーク間で自動的にハンドオーバする。
【００２７】
ＧＳＭ９００システムモバイル無線ネットワーク用に指定されたＧＳＭ無線周波数スペクトルはアップリンク及びダウンリンクの両方向に対して各２００ＫＨｚの帯域幅を有する１２４の周波数チャネルを用いる。移動局−ＢＴＳのアップリンクは８９０ＭＨｚ〜９１５ＭＨｚを使用し、ＢＴＳ−移動局のダウンリンクは９３５ＭＨｚ〜９６０ＭＨｚを使用する。アップリンクチャネルとダウンリンクチャネルとの間のデュプレックススペーシングは４５ＭＨｚである。所謂Ｅ−ＧＳＭ帯域は５０の周波数チャネルを追加し、Ｒ−ＧＳＭは更に２０の周波数チャネルをスペクトルに追加する。
【００２８】
ＧＳＭ１８００システムモバイル無線ネットワーク用に指定された周波数レンジでは、アップリンクとダウンリンクの両方向に対して各２００ＫＨｚの帯域幅を有する３７４の周波数チャネルが使用可能である。アップリンクは１７１０ＭＨｚ〜１７８５ＭＨｚの周波数を使用し、ダウンリンクは１８０５ＭＨｚ〜１８８０ＭＨｚの周波数を使用する。デュプレックススペーシングは９５ＭＨｚである。これらのチャネルのいくつかの第３高調波がＩＥＥＥ８０２．１１aＷＬＡＮ動作のために確保されているＵＮIIチャネル内に入る。このため、リンク１０６の役目は、どのＧＳＭチャネルが使用中かをＷＬＡＮ受信機ＲＸ１０８に知らせることにある。第３高調波の計算がＷＬＡＮ  ＯＦＤＭサブキャリアに対して潜在的な妨害問題を示す場合には、この特定のサブキャリアはその後パンクチュアされる（除去される）。ＷＬＡＮ受信機ＲＸ１０８内の受信機動作に対して正常な誤り訂正及び検出メカニズムがパンクチュアされたサブキャリアで搬送される失われたデータビットを自動的に復元する。
【００２９】
ＧＳＭシステムは時分割多元接続（ＴＤＭＡ）を周波数分割多元接続（ＦＤＭＡ）と組み合わせて使用する。各無線チャネルは８つのタイムスロットに分割され、各ユーザに特定の周波数とタイムスロットの組合せが割り当てられる。従って、単一のモバイルのみが特定のセッションにおいて所定の周波数／タイムスロット組合せを使用する。周波数分割二重化（ＦＤＤ）は２つの周波数帯域を提供し、一方がアップリンクチャネルを、他方がダウンリンクチャネルを提供する。
【００３０】
ＯＦＤＭは１つの高いデータレートのデータストリームを多数のサブキャリアで同時に伝送される多数の低レートストリームに分割する。シンボル持続時間が低レートの並列サブキャリアに対して増大するため、マルチパス遅延広がりにより生じる時間的分散の相対量が減少する。ＯＦＤＭは連続するＯＦＤＭシンボル間に適切なガードインタバルを挿入できるため、シンボル間干渉（ＩＳＩ）は殆ど完全に除去される。
【００３１】
図２は本発明のＷＬＡＮ受信機ＲＸの実施例を示し、ここでは全体が２００で表されている。ＷＬＡＮ受信機ＲＸ２００は、よく知られたＩＥＥＥ８０２．１１aＯＦＤＭ受信機であり、デュアルモードハンドセット１００に使用できる。しかし、従来のＷＬＡＮ受信機に対していくつかの改良が加えられている。これらの改良は、コロケートされたＧＳＭデバイスが強い第３高調波を発生する場合に、従来の受信機に後付してそれらの性能を向上させることができる。
【００３２】
ＷＬＡＮ受信機ＲＸ２００は受信アンテナ２０２を具え、このアンテナが５−ＧＨｚのＲＦ信号を低雑音増幅器(ＬＮＡ)２０４に供給する。ミクサ２０６と局部発振器２０８が自動利得制御（ＡＧＣ）増幅器２１０のためにＲＦをダウンコンバートする。同相及び直角位相（Ｉ＆Ｑ）が局部発振器２１４で駆動されるＩＱ分離器２１２において分離される。アナログ−ディジタルコンバータ（ＡＤＣ）がディジタル処理のために設けられている。電力検出器２１８とＡＧＣ２２０が電力を計算し、入力利得を設定する。粗周波数シンセサイザ２２２、シンボルタイミングシンセサイザ２２４及び精周波数シンセサイザ２２６が、低域通過フィルタ（ＬＰＦ）２２８を経て自動周波数制御（ＡＦＣ）を行う。ＡＦＣ２３０は直接ディジタル周波数シンセサイザ（ＤＤＦＳ）２３２を案内する。ブロック２３４はガードインタバルを除去する。
【００３３】
ＦＦＴブロック２３６からの出力は複素数の系列であり、各複素数はＯＦＤＭキャリアの一つで受信された信号を記述する。これらの複素数は、変調器で各キャリアを変調するのに使用された値（現在のコンステレーションの点から選択される）に対応する。しかし、各キャリアは、ＲＦ信号が通過したチャネルの複合効果およびＦＦＴタイミングウィンドウの小さな誤差のために未知の振幅及び位相で受信される。
【００３４】
パイロット抽出２３８及びチャネル補償ブロック２４０の目的は、その出力の複素数が、アルガン図にプロットされたとき、重畳された雑音又は妨害を除けば、送信されたコンステレーションの点に一致するように、これらの効果を補正することにある。送信されたＤＶＢ−Ｔ信号は散乱されたパイロットを含み、これらのパイロットはデータセルに規則正しいパターンで分布される。これらのパイロットは既知の値で送信される。虚数部は常にゼロであるが、実数部は固定の振幅を有する。しかし、実数部の符号はキャリア番号で決定される。各受信散乱パイロットセルが既知の送信値と比較され、当該瞬時における対応するキャリアに対してチャネルの応答のスナップショットを得る。補正しなければならないデータセルは、周波数においても時間においても、散乱されたパイロット間に位置する。これにより、散乱されたパイロットの測定値に適用される適切な形態の補間を用いることによって、各データに対する補正を適切に発生させることができる。チャネル応答の「インビトウィーン」値を得るのみならず、補間器は散乱されたパイロットの測定への熱雑音の影響も僅かに減少させる。雑音の低減及び散乱されたパイロットはデータセルより約２．５ｄＢ大きい電力で送信される事実によって、散乱パイロット雑音による性能の不可避の損失が許容範囲内に維持される。
【００３５】
ＧＳＭチャネル情報２４２は計算スプールブロック２４４に、コアロケートされたＧＳＭサブシステムがどのＧＳＭチャネルを使用中かに関するアプリオリデータを供給する。このＧＳＭチャネルの第３高調波は特定のＯＦＤＭサブキャリアと一致し得る。もしそうであれば、信号がパンクチャサブキャリアブロック２４８に送られる。個々のＦＦＴ出力が受信ＷＬＡＮデータの全体復調に悪影響を与えないように除去される。
【００３６】
ＧＳＭチャネル情報２４２が何らかの理由で得られない場合には、ＧＳＭチャネル妨害の予測がＦＦＴ２３６からのシンボル情報２４６で与えられる。計算スプールブロック２４４はこの状態ではどのＯＦＤＭサブキャリアを除去すべきかを計算する。
【００３７】
ＷＬＡＮ受信機ＲＸの残りのデータ復調及び再生部は従来どおりであり、原送信データを適正に再構成する順方向誤り訂正サブシステムを含む。イコライザ２５０がサブキャリア復調マッパ２５２のためにすべてのサブキャリアデータを正規化する。データデインタリーバ２５４が多数の並列データストリームから直列データストリームに戻し、ビタビデコーダ２５６が雑音誤差を除去し、デコーダデスクランブラ２５８が復調を完成させる。
【００３８】
多数のサブキャリアの使用はまたＯＦＤＭシステムをフェージングの存在内で一層ロバストにする。フェージングは一般に特定の周波数における受信信号強度を減少するため、任意の所定の時間において数個のサブキャリアに問題を与えるのみである。誤り訂正符号は、ＯＦＤＭ受信機がこれらの数個の誤りサブキャリアで失われた情報を再生できるようにする冗長情報を与える。
【００３９】
ＯＦＤＭシステムにおけるサブキャリアの各々はアプリケーションに適合する任意の技術を用いて個別に変調することができる。８０２．１１aでは、この選択肢はＢＰＳＫ，ＱＰＳＫ，１６−ＱＡＭ及び６４−ＱＡＭを含む。
【００４０】
変調後、すべてのサブキャリアからのデータが送信のためにシンボルの単一ストリームに変換される。受信機では、ストリームは高速フーリエ変換（ＦＦＴ）により周波数領域に変換され、次に各「周波数ビン」（サブキャリア）が別々に複合される。
【００４１】
図３Ａ−３Ｃは、図１及び図２のＷＬＡＮ受信機１０８及び２００により使用されると期待されるＯＦＤＭチャネル周波数を示す。種々の政府機関による規制処置により規定の詳細が変化しうるが、第３高調波がコアロケートデバイスで使用されるサブキャリアを妨害するという基本的な問題は依然としてあてはまる。
【００４２】
５ＧＨｚＯＦＤＭ  ＷＬＡＮ受信機内にコロケートされたＧＳＭ送信機の第３高調波妨を低減する本発明の方法の実施例は、スプールの周波数位置を計算する手順と、その計算の結果を用いてＦＦＴブロックの対応するサブキャリアまたはビンを除去する手順を備える。計算は、妨害ＧＳＭ送信機から直接送られる使用チャネル情報又はＦＦＴブロックから送られるシンボル情報から予測可能な使用チャネルの何れかを使用できる。
【００４３】
本発明の特定の実施例を図示し説明したが、これらの実施例は本発明を限定するもではない。多くの変更や変形が当業者に明らかであり、本発明は添付の特許請求の範囲によってのみ限定されるものである。
【図面の簡単な説明】
【００４４】
【図１】本発明のデュアルモードハンドセットシステムの実施例の機能ブロック図である。
【図２】本発明のＷＬＡＮ受信機の機能ブロック図である。
【図３】図３Ａ−３Ｃは図１及び図２に示すＩＥＥＥ８０２．１１aＷＬＡＮ受信機で使用される５ＧＨｚＵＮII帯域に対して規定されたサブキャリア又はチャネルのチャートである。
【図１】
2009519665.tif 000003
【図２】
2009519665.tif 000004
【図３Ａ】
2009519665.tif 000005
【図３Ｂ】
2009519665.tif 000006
【図３Ｃ】
2009519665.tif 000007
【国際調査報告】
2009519665.tif 000008
2009519665.tif 000009